(57)【要約】【課題】            硬質地盤に対する掘削能力を向上するとともに、スパイラル翼外周頂面の摩耗を効果的に抑制し、円錐ヘッドの長寿命化を実現可能にする。【解決手段】        水硬性固化材液の流路に通じる水硬性固化材液の吐出口２４と、掘削ロッド２１の正転時に掘削土砂を上方に押し上げるスパイラル翼２５とを円錐ヘッド２２の周面に設け、スパイラル翼２５には所定間隔をおいて複数個の切削爪２８を突設した構成である。【選択図】          図１
2017133270.tif 000002
【特許請求の範囲】
【請求項１】
水硬性固化材液の流路を有する掘削ロッドの下端部に設けられる掘削ヘッドであり、該掘削ヘッドは下方に向かって円錐状に突出する円錐ヘッドで、該円錐ヘッドの周面には、前記流路に通じる水硬性固化材液の吐出口と、前記掘削ロッドの正転時に掘削土砂を上方に押し上げるスパイラル翼とが設けられ、
該スパイラル翼の外周頂部には所定間隔をおいて複数個の切削爪が突設されてなることを特徴とする水硬性固化材液置換コラム築造用掘削ロッドの掘削ヘッド。
【請求項２】
前記切削爪は、スパイラル翼の外周頂部に、スパイラル翼の突出方向と同方向に向かって突設されていることを特徴とする請求項１に記載の水硬性固化材液置換コラム築造用掘削ロッドの掘削ヘッド。
【請求項３】
水硬性固化材液の流路を有する掘削ロッドの下端部に設けられる掘削ヘッドであり、該掘削ヘッドは下方に向かって円錐状に突出する円錐ヘッドで、該円錐ヘッドの周面には、前記流路に通じる水硬性固化材液の吐出口と、前記掘削ロッドの正転時に掘削土砂を上方に押し上げるスパイラル翼とが設けられ、
該スパイラル翼には所定間隔をおいて複数個の切削爪が突設され、該切削爪は、スパイラル翼を部分的に切除し、該切除部上方側端面にスパイラル翼の突出方向と交差する下方向に向かって突設されていることを特徴とする水硬性固化材液置換コラム築造用掘削ロッドの掘削ヘッド。
【請求項４】
前記切削爪間のスパイラル翼の外周頂面には肉盛り部が設けられてなることを特徴とする請求項１乃至３のいずれか１項に記載の水硬性固化材液置換コラム築造用掘削ロッドの掘削ヘッド。
【請求項５】
前記切削爪は先端部に超硬チップまたは肉盛り部が設けられていることを特徴とする請求項１乃至４のいずれか１項に記載の水硬性固化材液置換コラム築造用掘削ロッドの掘削ヘッド。
【発明の詳細な説明】
【技術分野】
【０００１】
本発明は、水硬性固化材液置換による小径の杭状補強材の築造に使用する水硬性固化材液置換コラム築造用掘削ロッドの掘削ヘッドに関する。
【背景技術】
【０００２】
戸建住宅や土間スラブの基礎工法として、一般的に深層混合処理工法によるコラム工法が採用されている。このコラム工法は原位置の地盤とセメントスラリーを攪拌混合するため、粘着力の高い粘性土を対象とする場合に共回り現象が発生して混合不良による品質不良が発生したり、有機質土などの地盤の種別によっては固化不良を発生したりするという問題があった。この問題を解決するために、出願人らは先に水硬性固化材液置換コラムの築造方法および水硬性固化材液置換コラムの施工装置を提案している（特許文献１参照）。
【０００３】
この先行技術は、図９に示すように、先端部に掘削ヘッド８を装着した掘削ロッド（掘削オーガともいう）１を、正逆方向への回転が可能なオーガモータ１２に取り付け、このオーガモータ１２をリーダ１１に沿って上下方向に給進可能（進退可能）な施工装置１０を用いて行うものである。リーダ１１にはスライド板１３がリーダ１１に沿ってスライド可能に設けられ、オーガモータ１２はスライド板１３に固着されている。オーガモータ１２に取り付けた掘削ロッド１には、オーガモータ１２により回転力が付与され、さらにスライド板１３をリーダ１１に沿って進退（スライド）させることで、オーガモータ１２を介し給進力が付与される。
【０００４】
図１０（ａ）、（ｂ）、（ｃ）は前記従来の掘削ロッド１の例である。施工装置１０のオーガモータ１２に挿通可能な小径の取付け用ロッド１ｂは、図１０（ａ）に示すように、掘削ロッド本体１ａに対しアダプター２を介して連結されている。掘削ロッド１は、全長に亘って、標準的に使用される周面が平坦な円筒体であり、掘削ロッド本体１ａの下端部に掘削ヘッド８が装着されている。図１０（ｂ）は掘削ロッド本体１ａの下方に、スパイラルスクリュー３を有する比較的短尺の径小ロッド１ｃを設けたものを示す。図１０（ｃ）は、掘削ロッド本体１ａ周面の略全長に亘ってスパイラルスクリュー３が固着された掘削ロッド１を示している。スパイラルスクリュー３は排土機能があれば、連続するものに限らず断続するものでもよい。なお、図１０（ａ）、（ｂ）、（ｃ）に示す掘削ヘッド８は掘削爪９を有する。
【０００５】
次に、この先行技術における水硬性固化材液置換コラム築造の具体的な施工手順を、図１１について説明する。この施工手順は、図９に示す施工装置１０を使用して実施される。
（１）杭心位置合わせ
施工装置１０のオーガモータ１２に取り付けた掘削ロッド１先端の中心を杭心位置に合わせてセットする（図１１（ａ））。
（２）掘進
掘削ロッド１を回転させながら給進させ、所定深さまで掘削圧入する（図１１（ｂ））。
（３）保持または練り返し
掘削ロッド１の先端（掘削ヘッド）が所定深度に達したら、セメントミルク（水硬性固化材液）を掘削ロッド１の掘削ヘッド８の先端部から吐出しながら、一定時間保持若しくは練り返しを行なう（図１１（ｃ））。
（４）引き上げ
セメントミルクを吐出しながら掘削ロッド１を引き上げる（図１１（ｄ））。
（５）杭頭レベル合わせ
掘削ロッド１を引き上げ、セメントミルク補充等によりコラム天端レベル（杭頭レベル）を所定の位置に合わせる（図１１（ｅ））。なお、セメントミルクの補充は、施工終了後に行う場合もある。
（６）終了（図１１（ｆ））。
【０００６】
この先行技術により築造した水硬性固化材液置換コラムは、従来の深層混合処理工法による地盤改良コラムに比較して、コラム固化体が地盤の土質による影響を全く受けないため、高強度の品質を安定して得ることができる。さらに、原位置地盤土と攪拌混合しないので、事前の現地土を使用する配合試験が不要になり、施工管理、品質管理が極めて簡便である等のメリットがある。さらに、図１０（ａ）に示すような表面が平坦な円筒状の掘削ロッド１を使用すれば、排土機能が全くないため、発生残土が殆ど出ないような施工が行なえる。
近年は環境保護意識の高まりから、杭基礎施工時に発生残土量の少ない施工法が要求されるようになっている。従って、この先行技術についても発生残土量が最も少ない、図１０（ａ）、（ｂ）に示すような周面が平坦な円筒状の掘削ロッド１を使用する施工が望ましいが、地盤条件や施工条件等を総合的に勘案して部分的乃至全長に亘ってスパイラルスクリューが周側面に突設されたロッドタイプを選択する必要がある。
【０００７】
掘削ロッド１の先端部に接続する掘削ヘッド８の例を図１２に示す。先行技術における掘削ロッド１先端部に接続する掘削ヘッド８は、鋼板を角状や剣状に加工して下端面に突設した掘削爪９で形成されている。図１２（ａ）に示す掘削ヘッド８の掘削爪９は、掘削ロッド１先端部の回転時形状の底部が平坦である掘削爪を、図１２（ｂ）は掘削ロッド１先端部の回転時形状が円錐状である掘削爪９を、図１２（ｃ）は掘削ロッド１先端部の回転時形状の底部が略平坦であり、かつ施工時にコラム心位置合わせが容易になるように、掘削爪９先端の掘削ロッド１軸心位置に切り込みを入れた掘削爪９を示している。
【０００８】
掘削ロッド１は、中空で、図１２（ａ）に示すように中空内をセメントミルクの供給通路４としている。掘削ロッド１の外径が比較的小さい場合は、その中空内を直接供給通路４としてもよいが、掘削ロッド１の外径が比較的大きい場合には、図１２（ｂ）、（ｃ）に示すように供給通路専用の内管５が設けられる。そして、掘削ロッド１の先端は、逆止弁７が設けられた吐出口６となっており、供給通路４または内管５を介して供給された水硬性固化材液（例えば、セメントミルク）は、吐出口６より吐出される。
【０００９】
また、前記水硬性固化材液置換コラムの築造方法では、セメントミルクの吐出口６が掘削ロッド１の下端面にあるため、掘削ロッド１の供給通路４内または内管５内のセメントミルクの重量を直接受けることになり、吐出口６の逆止弁７から掘削ロッド１の供給通路４内または内管５内に残存するセメントミルクが漏れ出て垂れ落ち、施工装置１０の移動時等に地表面を汚してしまう課題、および置換コラムの施工が終了して、掘削ロッド１の先端に固設されている掘削ヘッド８の掘削爪９に、粘性の掘削土砂が付着したまま地上に引き上げられ、掘削ロッド１が未だ掘削孔上にあるとき、その掘削土砂が落下して未だ固化していない置換コラム中に混入することがあり、その掘削土砂を除去しないままセメントミルクが固化すると、置換コラムの品質劣化をきたす課題がある。本出願人は、この課題を解決するセメントミルクの垂れ受け装置を既に提案している（例えば、特許文献２参照）。
【００１０】
ところが、上述した従来の水硬性固化材液置換コラムの築造に使用する掘削ロッド１の掘削ヘッド８にあっては、図１２（ａ）、（ｂ）、（ｃ）に示すように鋼板を角状や剣状に加工した掘削爪９としているため、次のような課題があった。
（１）図１０（ａ）に示すような排土機構のない掘削ロッド１を用いて施工するとき、図１４に示すように掘削対象地盤Ｊが砂質土の場合は、掘削爪９位置の掘削土砂を上方へ排除することができない状態で、矢印Ｓ方向の押込み力が作用すれば、掘削土砂の矢印Ｒ方向へのせん断抵抗力が増大するため、掘削ヘッド８の下方への掘進性が低下するか若しくは掘進不能に陥ることがある。このような事態に陥れば施工は所定深度まで実施することができず、いわゆる高止まりという施工トラブルとなる。
【００１１】
（２）水硬性固化材液置換コラムの地盤Ｊにおける築造深度中に粘性土（層）がある場合は、粘性土が掘削爪９に付着し、図１５（ａ）に示す矢印Ｔ方向への掘削ロッド１の引き上げ時に、先端に付着した粘性土Ｄは置換した水硬性固化材液Ｍ中を掘削爪９と一緒に引き上げられる。しかし、掘削ロッド１に施工装置１０から衝撃や振動等が加わると、付着した粘性土Ｄが掘削爪９から剥離して、水硬性固化材液Ｍ中に落下して、図１５（ｂ）に示すように置換コラムとなる水硬性固化材液Ｍ中に残存することがある。このように置換コラム内に粘性土塊Ｄが残存すると、品質不良になるばかりでなく、置換コラムの鉛直支持力が低下する。
【００１２】
そこで、本出願人は、このような施工深度の高止まりや粘性土の置換コラム底部への堆積による鉛直支持力の低下および置換コラムとなる水硬性固化材液中に地盤土（粘性土）が混入することによる品質不良という課題を解決した水硬性固化材液置換コラム築造用掘削ロッドの掘削ヘッドを提案した（特許文献３参照）。この提案にかかる水硬性固化材液置換コラム築造用掘削ロッドの掘削ヘッドは、図１３に示すように水硬性固化材液の流路２３を有する掘削ロッド２１下端部に設けられる、下方に向かって円錐状に突設する円錐ヘッド２２であり、該円錐ヘッド２２の周面には、前記流路２３に通じる水硬性固化材液の吐出口２４を設けるとともに、掘削ロッド正転時に掘削土砂を上方に押し上げる方向にスパイラル翼２５が設けられている。
【００１３】
これによれば、掘進施工時において掘削土砂はスパイラル翼２５によって掘削され、かつそのスパイラル翼２５に沿って上方へスムースに押し上げられる。このため、地盤の掘削土砂が砂質土であっても、円錐ヘッド２２の円錐形状とスパイラル翼２５の相乗効果で良好な掘進性を確保できる。従って、掘削ロッド２１が排土機構の全くない周面が平坦な掘削ロッドであっても、比較的良好な掘進性を発揮する。掘削ロッド２１自体の周面にスパイラルスクリューを突設したものを使用すれば、さらに掘進性が向上する。また、掘削ヘッドの主要部が円錐ヘッド２２であるため、粘性地盤掘進時に円錐ヘッド２２に付着する粘性土はスパイラル翼２５に形成する比較的薄いものである。。図１２に示すような掘削爪（鋼板爪）９を使用する従来技術による掘削ヘッド８とは異なり、構造的に土塊を形成することはない。また、スパイラル翼２５の高さと略同じ厚さの土砂が付着したとしても、スパイラル翼２５がこれを下方から支えるため、粘性土の付着力と相俟って該付着した土砂（土塊）が円錐ヘッド２２から剥落することは少ない。この結果、前記砂質地盤での掘進の高止まりトラブルの解消、施工時の水硬性固化材液中の土塊や土砂の落下にもとづく置換コラムの支持力不足、品質不良を回避できるという効果が得られる。
【先行技術文献】
【特許文献】
【００１４】
【特許文献１】特開２０１１−１０６２５３号公報
【特許文献２】特開２０１２−０４７００３号公報
【特許文献３】特開２０１３−２３４５５７号公報
【発明の概要】
【発明が解決しようとする課題】
【００１５】
しかしながら、かかる従来の水硬性固化材液置換コラム築造用掘削ロッドの掘削ヘッドにあっては、スパイラル翼が掘削ロッドの正転時に掘削土砂を押し上げるようにして地盤中に進入するため、掘削ヘッド（円錐ヘッド）の掘進性が良好になるとともに、スパイラル翼は掘削土が付着してもこの掘削土を下方から支えるため、そのスパイラル翼から充填中の水硬性固化材液中に落下することを未然に回避でき、従って、土塊の混入によるコラムの品質低下を回避できるものの、スパイラル翼２５は、地盤への掘進性には大きく寄与するが、地盤の掘削性能は高いものではなく、硬質地盤や軟岩地盤に対しては掘削能力が発揮できず、掘進施工性が著しく低下する課題がある。また、スパイラル翼２５は、地盤中を円錐ヘッド２２と共に回転するので、スパイラル翼２５の外周頂面が地盤内土砂から大きな摩擦抵抗を受け、摩耗が顕著に進行し、円錐ヘッド２２の定期的交換が必要となる課題がある。この結果、その交換のための作業が煩わしく、掘削作業の能率低下が避けられないし、経済的負担も増加する。
【００１６】
本発明はかかる従来の不都合を解消するためになされたものであり、その目的とするところは、硬質地盤に対する掘削能力を向上するとともに、スパイラル翼外周頂面の摩耗を効果的に抑制し、掘削ヘッド（円錐ヘッド）の長寿命化を実現する水硬性固化材液置換コラム築造用掘削ロッドの掘削ヘッドを得ることにある
【課題を解決するための手段】
【００１７】
前記目的達成のために、本発明の請求項１にかかる水硬性固化材液置換コラム築造用掘削ロッドの掘削ヘッドは、水硬性固化材液の流路を有する掘削ロッドの下端部に設けられる掘削ヘッドであり、該掘削ヘッドは下方に向かって円錐状に突出する円錐ヘッドで、該円錐ヘッドの周面には、前記流路に通じる水硬性固化材液の吐出口と、前記掘削ロッドの正転時に掘削土砂を上方に押し上げるスパイラル翼とが設けられ、該スパイラル翼の外周頂部には所定間隔をおいて複数個の切削爪が突設されてなることを特徴とする。
【００１８】
この構成により、地盤内への掘進時に円錐ヘッドのスパイラル翼外周頂部に設けられた複数の切削爪が、このスパイラル翼外周頂部に接する地盤の土砂を掻き落とすように地盤内へ進入しながら、スパイラル翼により掘削土を上方に押し上げるように作用する。また、複数の切削爪は、それぞれ回転半径が異なるので、掘削ロッド下方の硬質地盤を効率よく掘削することができる。このため、硬質地盤でも、切削爪はこれらの地盤を高トルクで強制的に切削し、円錐ヘッドを高能力かつ速やかに地盤中に掘進させることが可能になる。
【００１９】
また、本発明の請求項２にかかる水硬性固化材液置換コラム築造用掘削ロッドの掘削ヘッドは、前記切削爪が、スパイラル翼の外周頂部に、スパイラル翼の突出方向と同方向に向かって突設されていることを特徴とする。
この構成により、切削爪は掘進中のスパイラル翼周面に臨む地盤の土砂をより広く掻き取るように作用するので、スパイラル翼には円錐ヘッドの地盤への掘進能力のほかに、この掘進中の土砂（地盤）の切削能力をも付与させることができる。
【００２０】
また、本発明の請求項３にかかる水硬性固化材液置換コラム築造用掘削ロッドの掘削ヘッドは、水硬性固化材液の流路を有する掘削ロッドの下端部に設けられる掘削ヘッドであり、該掘削ヘッドは下方に向かって円錐状に突出する円錐ヘッドで、該円錐ヘッドの周面には、前記流路に通じる水硬性固化材液の吐出口と、前記掘削ロッドの正転時に掘削土砂を上方に押し上げるスパイラル翼とが設けられ、該スパイラル翼には所定間隔をおいて複数個の切削爪が突設され、該切削爪は、スパイラル翼を部分的に切除し、該切除部上方側端面にスパイラル翼の突出方向と交差する下方向に向かって突設されていることを特徴とする。
【００２１】
この構成により、切削爪はスパイラル翼の切除部上方側端面に下方に向かって突設されているので、地盤中に回転して掘進させると、円錐ヘッドの回転によるスパイラル翼の回転で切削爪も回転して地盤を掘削し、掘削土砂を該スパイラル翼の切除部から上方に排出して確実に掘削すると共に、スパイラル翼は円錐ヘッドの回転によって掘削土砂を円錐面に沿って上方に掬い上げながら移動させ、掘削ロッドの側方へ押し出すように作用する。即ち、切削爪で掘削した土砂は切削爪に案内され切除部を通ってスパイラル翼上に移動して、スパイラル翼で上方に移動されるので、切削爪での掘削力の向上と、掘削土砂のスムースな移動の向上が発揮される。従って、掘削能力及び掘削効率が向上する。また、複数の切削爪は、それぞれ回転半径が異なるので、掘削ロッド下方の硬質地盤を効率よく掘削することができる。
【００２２】
また、本発明の請求項４にかかる水硬性固化材液置換コラム築造用掘削ロッドの掘削ヘッドは、前記切削爪間のスパイラル翼の外周頂面に肉盛り部が設けられてなることを特徴とする。
【００２３】
この構成により、硬質地盤でも、切削爪はこれらの地盤を強制的に切削し、円錐ヘッドを高能力かつ速やかに地盤中に掘進させることが出来るとともに、そのスパイラル翼外周頂面の早期摩耗を回避でき、このスパイラル翼を持つ円錐ヘッドの長寿命化を図ることができる。
【００２４】
また、本発明の請求項５にかかる水硬性固化材液置換コラム築造用掘削ロッドの掘削ヘッドは、前記切削爪の先端部に超硬チップまたは肉盛り部が設けられていることを特徴とする。
この構成により、切削地盤の掘削土砂と接触し、最も摩耗の厳しい切削爪の先端部には、超硬チップまたは肉盛り部が設けられているので、切削爪の早期摩耗を回避でき、この切削爪の長寿命化を図ることができる。従って、この切削爪を持つ円錐ヘッドも長寿命化する。また、硬質地盤でも掘削可能となる。
【発明の効果】
【００２５】
本発明の水硬性固化材液置換コラム築造用掘削ロッドの掘削ヘッドによれば、次のような効果を奏する。
（１）スパイラル翼には、切削爪が突設されているので掘削能力が向上し、この掘削能力を向上させる切削爪の存在により硬質地盤や軟岩地盤でも掘削が可能となる。また、複数の切削爪は、それぞれ回転半径が異なるので、掘削ロッド下方の硬質地盤を効率よく掘削することができる。
（２）スパイラル翼の先端部である外周頂面に肉盛り部が設けられているので、このスパイラル翼を持つ円錐ヘッドの長寿命化を図ることができる。
（３）切削爪及びスパイラル翼で掘削した土砂は、回転するスパイラル翼によって円錐ヘッドの円錐面に沿って上方に案内移動させるので、掘削効率が向上する。特に、切削爪が下方に向かって突設されている正回転方向前部のスパイラル翼に切除部通路が設けられていると、切削爪で掘削された土砂は、この切除部通路を通ってスパイラル翼上に案内され、該スパイラル翼で上方に移動されるので、掘削効率は更に向上する。
（４）外周面にスパイラル翼が設けられた円錐ヘッドでは、土塊が形成されることは少なく、粘性土ではせいぜい円錐ヘッドのスパイラル翼の高さと同じ厚さの付着土層が形成されるのみであるが、スパイラル翼の高さと同じ厚さの付着土層が形成されたとしても、スパイラル翼がこれを下方から支えるばかりでなく、切削爪も支える働きをするので、付着土（粘性土）の付着力と相俟って、その付着土が円錐ヘッドから剥落することは一層少なくなる。
（５）これにより置換コラムとなる水硬性固化材液中への土塊、土砂の落下に伴う置換コラム支持力不足、品質低下、等を回避できる。
（６）スパイラル翼の外周頂部に切削爪が存在し、しかも切削爪で掘削した土砂は回転するスパイラル翼が円錐面に沿って上方へ掬い上げながら移動させ、掘削ロッドの側方へ押し出すので、例え掘削地盤が砂質地盤であっても掘進性の高止まりトラブルは発生しない。
（７）最も摩耗の厳しい切削爪の先端には、超硬チップまたは肉盛り部が設けられているので、掘削爪の早期摩耗を防止でき、この切削爪の長寿命化を図ることができ、結果、この切削爪を持つ円錐ヘッドも長寿命化することができる。
【００２６】
以上、本発明について簡潔に説明した。更に、以下に本発明を実施するための最良の形態を添付の図面を参照して、詳細に説明する。
【図面の簡単な説明】
【００２７】
【図１】本発明の実施形態にかかる水硬性固化材液置換コラム築造用掘削ロッドの掘削ヘッド（円錐ヘッド）を示す正面図である。
【図２】図１に示す掘削ヘッド（円錐ヘッド）の縦断面図（ａ）（ｂ）である。
【図３】図１における水硬性固化材液置換コラム築造用掘削ロッドの掘削ヘッド（円錐ヘッド）要部の斜視図である。
【図４】本発明の他の実施の形態に係る水硬性固化材液置換コラム築造用掘削ロッドの掘削ヘッド（円錐ヘッド）を示し、（ａ）はその要部の斜視図、（ｂ）はその分解斜視図である。
【図５】図４に示す実施の形態の変形例を示す要部の斜視図である。
【図６】本発明の更に他の実施の形態に係る水硬性固化材液置換コラム築造用掘削ロッドの掘削ヘッド（円錐ヘッド）を示し、、（ａ）はその要部の斜視図、（ｂ）はその分解斜視図である。
【図７】本発明のまた更に他の実施形態にかかる水硬性固化材液置換コラム築造用掘削ロッドの掘削ヘッド（円錐ヘッド）を示す正面図である。
【図８】図７に示す掘削ヘッド（円錐ヘッド）の拡大斜視図である。
【図９】従来の一般的な施工装置を示す正面図である。
【図１０】従来の掘削ロッドを例示（ａ）（ｂ）（ｃ）する正面図である。
【図１１】水硬性固化材液置換コラム築造の施工手順（ａ）（ｂ）（ｃ）（ｄ）（ｅ）（ｆ）を示す説明図である。
【図１２】従来の掘削ロッド先端の掘削ヘッドを示す要部の斜視図（ａ）（ｂ）（ｃ）である。
【図１３】他の従来例を示す正面図である。
【図１４】砂質土に対する掘削ヘッドの掘進状態を示す説明図である。
【図１５】粘性土に対する掘削ヘッドの作用状態を示す説明図（ａ）（ｂ）である。
【発明を実施するための形態】
【００２８】
以下、本発明の実施の形態にかかる水硬性固化材液置換コラム築造用掘削ロッドの掘削ヘッドを、図面を参照して説明する。
【００２９】
図１および図２は、本実施形態による水硬性固化材液置換コラム築造用掘削ロッドの掘削ヘッド（円錐ヘッド）の正面図および縦断面図を示す。この水硬性固化材液置換コラム築造用掘削ロッドは、掘削ロッド２１下端に掘削ヘッドとして円錐ヘッド２２を接続する。具体的には、この円錐ヘッド２２は水硬性固化材液の流路２３を有する掘削ロッド２１の下端部に着脱自在に、または固定的に連結され、下方に向かって円錐状に突出する円錐ヘッド２２で、その周面に水硬性固化材液の流路２３に通ずる吐出口２４が設けられ、さらに掘削ロッド２１の正転時（掘削回転時）に掘削土砂を押し上げる方向のスパイラル翼２５を有する構成である。図２（ａ）は掘削ロッド２１下端に円錐ヘッド２２をピン３２で着脱自在に接続した場合であり、図２（ｂ）は掘削ロッド２１下端に円錐ヘッドを溶接３３により固定的に接続した場合である。
【００３０】
この構成では、掘進施工時において、円錐ヘッド２２の下方に臨む土砂は先端掘削爪や後述する切削爪２８によって掘削され、かつそのスパイラル翼２５に沿って上方へスムースに押し上げられるので、砂質の掘削土砂に対しても円錐ヘッド２２の良好な掘進性を確保できる。従って、掘削ロッド２１は排土機構が全くない周面が平坦な掘削ロッドであっても比較的良好な掘進性を発揮する。さらに必要に応じ掘削ロッド２１の周面に図１０（ｂ）（ｃ）に示すようなスパイラルスクリューを突設すれば、さらに掘進性が向上する。
【００３１】
また、円錐ヘッド２２の主要部が円錐状である。このため、地盤が粘性土であっても粘性地盤掘進時に円錐ヘッド２２に付着する粘性土はスパイラル翼２５の厚さ又は高さ分のみであるので、このスパイラル翼２５上に土塊を形成することはない。また、スパイラル翼２５の高さと略同じ厚さの付着土層が形成されたとしても、スパイラル翼２５がこれを下方から支えるため、粘性土の付着力と相俟って、その付着土の塊が円錐ヘッド２２から剥落することは少ない。この結果、前記砂質地盤での掘進性の高止まりトラブルの解消と、水硬性固化材液中への土塊の落下に伴う置換コラムの支持力不足等を回避できるとともに、掘削土砂での作業現場の汚損、土塊混入によるコラム品質の低下を回避することができる。
【００３２】
円錐ヘッド２２は基部２２ａを介し掘削ロッド２１に取り付けられる。円錐ヘッド２２と基部２２ａは、例えば溶接によって一体化したものからなり、必要に応じて一体成形品（例えば、削り出し成形や鋳造品）として得ることもできる。基部２２ａは、例えば整備、点検等のためあるいは部品交換のために、円筒状の掘削ロッド２１端に着脱自在に取り付けられるものであり、その着脱は掘削ロッド２１に、例えば複数箇所でピン等の締結具を用い行なわれる。なお、円錐ヘッド２２は掘削ロッド２１端に着脱自在に取り付ける場合のほか、掘削ロッド２１端に固着（例えば、溶接）して設けてもよい。図２（ａ）は、掘削ロッド２１端にピン３２で固着した場合を示し、図２（ｂ）は、掘削ロッド２１端に溶接３３で固着した場合を示している。
【００３３】
また、掘削ロッド２１に設けられた前記流路２３の下端は、その円錐ヘッド２２の外周面に開口するように臨み、この開口端は水硬性固化材液の前記吐出口２４となっている。この吐出口２４には、弾性ゴム乃至弾性樹脂からなる逆止弁２６が設けられ、流路２３への水硬性固化材液の圧送時には、その圧送時の圧力を受けて、弾性力に抗して自動的に開かれる。一方、前記水硬性固化材液の圧送が止むと前記弾性力によって逆止弁２６は吐出口２４を自動的に閉じ、地盤内の土砂が流路２３へ逆流するのを阻止する。掘進時に吐出口２４から掘削土砂が逆流すると、水硬性固化材液の吐出が不能になる惧れがあるため、逆止弁２６の設置はそれを防止する。逆止弁２６そのものは掘進施工時の地盤抵抗を受けるため、それに耐えるだけの剛性と耐久性が要求され、弾性力で水硬性固化材液の漏出を防ぎ、吐出圧が作用すると開いて水硬性固化材液を吐出する。
【００３４】
なお、円錐ヘッド２２内の流路（連通路）２３は吐出口２４付近で方向を変えている。流路２３の内径は全長に亘り略同一径とした方が水硬性固化材液の詰まりが生じ難いので好ましい。逆止弁２６はばね構造の逆止弁とすることもできるが、構成が簡単で、交換作業が容易な弾性ゴム材乃至弾性樹脂材からなる逆止弁の方が、ローコストで、実用性が高い。 また、流路２３の上端は水硬性固化材液を掘削ロッド２１の外部から供給する供給パイプに連結されている。
【００３５】
円錐ヘッド２２は外周に所定高さの１本のスパイラル翼２５が前述のように突設されている。このスパイラル翼２５は必要に応じて２本以上とすることもあるいは断続的にすることも任意である。このスパイラル翼２５は、掘削ロッド２１に排土機能がない場合であっても円錐ヘッド２２の回転によって、地盤掘削中に円錐面に沿って土砂を上方へ掬い上げ掘削ロッド２１の周面で掘削土砂を側方に押し出すため、掘削土が砂質土であっても大きな（過大な）抵抗なく地盤中に推進させることができる。
【００３６】
前記土砂が粘性土である場合には、円錐ヘッド２２の推進による地盤の掘進作業後、これを地上に引き上げる際に、上下方向に向かい合うスパイラル翼２５間の円錐ヘッド２２の外周面に粘性土が付着する。この粘性土はスパイラル翼２５に支えられているため、粘性土の付着力と相俟って円錐ヘッド２２の外周面から剥離、落下して施工したコラム中に残存することはほとんどない。これにより土砂の混入に伴うコラムの鉛直方向支持力の劣化および品質不良となることを回避できる。
【００３７】
前記スパイラル翼２５は、所定の肉厚を有し、その先端部である外周頂部２５ａには所定間隔をおいて複数の切削爪２８が溶接等により強固に固着されている。この切削爪２８は、スパイラル翼２５の突出方向と同方向に向かって突設されている。切削爪２８はスパイラル翼２５の肉厚と同じ厚みであって、スパイラル翼２５と面一になるように突設される。好ましくは、切削爪２８の厚さをスパイラル翼２５の板厚より大きくして、切削能力を高めると更によい。この切削爪２８のスパイラル翼２５の外周頂部への固着の形態は、特に限定されるものではなく、適宜選択して採用し得る。例えば、スパイラル翼２５の外周頂面２５ａに単に当接して溶接して固着したり、スパイラル翼２５の外周頂面２５ａに切欠を設け、その切欠に切削爪２８を嵌め込み溶接したりして固着する形態を挙げることができる。本例では図３に示すようにスパイラル翼２５の外周頂面２５ａに切削爪２８が嵌入できる切欠２７を設け、この切欠２７に切削爪２８を嵌入して溶接して固着した場合を示している。これにより切削爪２８が掘進中のスパイラル翼２５の周面に臨む土砂を掻き取るように作用する。つまり、スパイラル翼２５には円錐ヘッド２２の地盤への進入能力のほかに、この進入中の土砂の切削能力を付与させることができる。
【００３８】
切削爪２８は、スパイラル翼２５の外周頂部に接する土砂を掻き落とすように地盤内へ進入しながら、スパイラル翼２５により掘削土砂を上方に押し上げるように作用するものであるので、切削爪２８の形状は、正回転時に掘削地盤の掘削が向上（良好）する形態が好ましい。
従って、地盤の掘削中においてスパイラル翼２５は円錐ヘッド２２の回転によってこれの円錐面に沿って土砂を上方へ掬い上げながら、切削爪２８によってスパイラル翼２５周面に臨む削孔壁の土砂を切削し、この切削した土砂を含む掘削土砂をスパイラル翼２５で上方に移動させ掘削ロッド２１の側方へ押し出す。これによりスパイラル翼２５全体による土砂の掘削能力および掘削効率の向上を図ることができる。
【００３９】
図４は、本発明の他の実施の形態を示す要部の斜視図（ａ）およびその分解斜視図（ｂ）である。前記図１乃至図３に示す実施の形態の切削爪２８は、スパイラル翼２５の外周頂部（先端部）にスパイラル翼２５の突出方向と同方向に向かって突設した場合であるが、本実施の形態の切削爪２８は、図４に示すようにスパイラル翼２５の切除部２７の上方側端面２７ａにスパイラル翼２５の突出方向と交差する下方向に向かって突設したものである。他は前記実施の形態と同様であるので、同様な構成要素には同じ符号を付して他の詳細な説明は省略する。
切削爪２８のスパイラル翼２５への取付方法は特に制限されるものではなく、適宜の方法を採用すればよい。
【００４０】
本実施の形態では、図４に示すようにスパイラル翼２５に切除部２７を設け、この切除部２７の上方側端面２７ａに切削爪２８を下方に向かって固着した場合を示している。図４（ｂ）は、この取付方法を説明する分解斜視図であり、切削爪２８をスパイラル翼２５の切除部２７の上方側端面２７ａに取り付ける様子を示している。即ち、スパイラル翼２５に切削爪２８を取り付ける切除部２７が設けられ、この切削部２７の上方側端面２７ａに切削爪２８を下方に向かって溶接等で固着し、図４（ａ）に示すように取り付ける。この場合、切除部２７は切削爪２８を固着したとき、切削爪２８の回転方向前部に切除部通路３０が形成できるようにすると、切削爪２８で掘削した土砂は、この切除部通路３０を通ってスパイラル翼２５上に案内され移動されるので、掘削能力及び掘削効率が向上して好ましい。
切削爪２８の幅は、スパイラル翼２５と略同一とし、内側は円錐ヘッド２２の円錐部と溶接などにより連結すれば、円錐ヘッド２２との固着力が増大するとともに掘削土砂の上方への排出効果が大きくなり好ましい。
【００４１】
図５は、図４に示す実施の形態の変形例を示す要部の斜視図である。この図５に示す変形例は、スパイラル翼２５の切除部２７の上方側端面２７ａに下方に向かって固着した切削爪２８の回転方向前面を傾斜面２８ａとしたものである。これにより切削爪２８で掘削した土砂は、切除部通路３０を通ってスパイラル翼２５上に案内され易くなり、掘削土砂の移動がスムーズになるので好ましい。従って、切削爪２８の回転方向前面の傾斜面２８ａは、掘削土砂の案内を容易とするためのものであるので、その傾斜角はその限りにおいて適宜選択するし、また、傾斜面２８ａが少し湾曲している場合も含む。
【００４２】
前記図４及び図５に示すように切削爪２８は、スパイラル翼２５の切除部２７の上方側端面２７ａに下方に向かって突設されているので、地盤中に回転して掘進させると、円錐ヘッド２２の回転によるスパイラル翼２５の回転で切削爪２８も回転し、地盤を掘削すると共に、スパイラル翼２５は円錐ヘッド２２の回転によって掘削土砂を円錐面に沿って上方へ掬い上げながら移動させ、掘削ロッド２１の側方へ押し出す。この時、円錐ヘッド２２のスパイラル翼２５に固着された複数の切削爪２８は、それぞれ回転半径が異なるため、掘削ロッド２１断面の投影部にあたる地盤を効率よく切削することができる。また、切削爪２８は、下方に向かって突設されているので地盤を確実に掘削する。また、切削爪２８の回転方向前部に切除部通路３０が形成されていると、切削爪２８で掘削した土砂は、この切除部通路３０を通ってスパイラル翼２５上に案内されて移動するので、掘削能力及び掘削効率が向上する。この掘削土砂の移動状態を図４および図５で矢印Ｆで示している。
掘削土砂を確実に排出することが掘削（掘進）性能には、必須条件であるが、この実施形態では、前記の通り掘削土砂の排出が確実にスムースに行える。
【００４３】
しかも、円錐ヘッド２２にスパイラル翼２５の高さと略同じ厚さの付着土層が形成されたとしても、スパイラル翼２５がこれを下方から支えるばかりでなく、多少なりと切削爪２８も支える働きをするので、付着土（粘性土）の付着力と相俟って、その付着土が円錐ヘッド２２から剥落することは一層少なくなる。
【００４４】
図６（ａ）（ｂ）は、本発明の更に他の実施の形態を示し、（ａ）はその要部の斜視図、（ｂ）はその分解斜視図である。
本実施の形態は、図４に示す実施の形態の切削爪２８の先端に超硬チップ３１を設けたもので、他は図４と同様なので、図４と同様な構成要素には同じ符号を付して他の詳細な説明は省略する。
この実施の形態の切削爪２８は、先端に超硬チップ３１が設けられているので、硬い地盤でも掘削が可能となるばかりでなく、耐摩耗性が向上する。従って、長寿命となる。
なお、ここでは切削爪２８の先端に超硬チップ３１を設けたが、超硬チップに代えて切削爪２８の先端部に肉盛金属で肉盛り部（図示省略）を設けて、耐摩耗性の向上を図ってもよい。
【００４５】
図４乃至図６に示すようなスパイラル翼２５に、切削爪２８をスパイラル翼２５の突出方向と交差する下方に向かって突設した円錐ヘッド２２であると、円錐ヘッド２２の回転でスパイラル翼２５が掘削土砂を円錐面に沿って上方へ掬い上げながら移動させ、掘削ロッド２１の側方へ押し出すので、掘削地盤（例えば、砂質地盤）での掘進性の高止まりトラブル及び置換コラムとなる水硬性固化材液中への土塊、土砂の落下に伴う置換コラム支持力不足、品質低下等を回避できると共に、下方に向かって突設する切削爪２８の存在により掘削能力及び掘削効率は一層向上する。特に、切削爪２８の回転方向前部に切除部通路３０が設けられていると、切削爪２８で掘削した土砂は、この切除部通路３０を通ってスパイラル翼２５上に案内されて移動されるので、掘削能力及び掘削効率はさらに向上する。
スパイラル翼２５は、掘削土砂の移動には寄与するが、地盤の掘削力は小さい。スパイラル翼２５に切削爪２８が設けられていると、この切削爪２８が円錐ヘッド２２と共に回転し、地盤を掘削するので掘削性能が増加する。この切削爪２８で掘削された掘削土砂は、図４乃至図６で矢印Ｆで示すように切除部通路３０を通ってスパイラル翼２５上に案内され移動排出されることとなる。
【００４６】
図７および図８は水硬性固化材液置換コラム築造用掘削ロッドの掘削ヘッド（円錐ヘッド）の他の実施形態を示す。この実施形態の掘削ヘッドである円錐ヘッド２２は、水硬性固化材液の流路２３を有する掘削ロッド２１の下端部に設けられて、下方に向かって円錐状に突出しており、円錐ヘッド２２の周面には、流路２３に通じる水硬性固化材液の吐出口２４と、掘削ロッド２１の正転時に掘削土砂を上方に押し上げる方向のスパイラル翼２５とが前記同様に設けられている。また、このスパイラル翼２５の外周頂部には所定間隔をおいて複数個の切削爪２８が突設されるとともに、これらの切削爪２８間のスパイラル翼２５の外周頂面２５ａに肉盛り部２９が設けられている。この肉盛り部２９の形態は、特に限定されるものでなく、従来公知の形態が採用できる。例えば、ジグザグ状や格子状、網状の肉盛り部を挙げることができる。本例では、ジグザグ状の肉盛り部２９を示している。２６は弾性ゴム材乃至弾性樹脂材またはばね構造の逆止弁である。
【００４７】
この肉盛り部２９は、スパイラル翼２５の先端面として外周頂面２５ａに、耐摩耗性が良好な肉盛金属をジグザグ状や格子状、網状などに溶接することによって形成される。この肉盛り部２９はスパイラル翼２５の外周頂面の幅（厚み）内に抑えられ、かつ切削爪２８よりも十分に低い一定高さに盛られている。これにより肉盛り部２９は切削爪２８による土砂の掘削能力を低下させずに、掘進時におけるスパイラル翼２５外周頂面の直接的摩耗を抑制ないし軽減することができる。この結果、円錐ヘッド２２の寿命を延ばすことができる。
【００４８】
前記においては、肉盛り部２９を切削爪２８とともにスパイラル翼２５の外周頂面に設けたものを示したが、切削爪２８が設けられないスパイラル翼２５の外周頂面の全長に設けることも実施可能である。これによりそのスパイラル翼２５の外周頂面を全長に亘り摩耗の抑制ないし軽減を図ることができる。なお、掘削爪２８および肉盛り部２９はスパイラル翼２５の成形時に一体的に設けることは任意である。
【００４９】
ここでは、切削爪２８がスパイラル翼２５の突設方向と同方に設けられたもので示したが、切削爪２８が図４乃至図６に示すようなスパイラル翼２５の突出方向に交差する下方に向かって突設された場合でも、同様である。
【００５０】
なお、前記円錐ヘッド２２（スパイラル翼２５も含む）の回転時の最大外径は掘削ロッド２１の回転径を超えないようにすることが肝要である。置換柱体であるコラムの外径を規定する孔壁は、掘削ロッド２１の外径の回転摺り付け効果により形成される。円錐ヘッド２２の回転時の最大外径が掘削ロッド２１の回転径を超えると、円錐ヘッド２２は掘削ロッド２１の最下端にあるため、掘削ロッド２１の引き上げ工程で形成した孔壁を削り取ることとなる。このため、削り取られた孔壁土が置換された水硬性固化材液中に残存することとなり、水硬性固化材液の硬化後は削りかすである小土塊がコラム中に含まれることになって、その量が許容値を越えるほどに多量になれば、水硬性固化材液置換コラムの品質不良になる。このため、円錐へッド２２の回転時の最大外径は掘削ロッド２１の回転径を超えないようにしている。
【００５１】
以上のように、本実施形態にかかる水硬性固化材液置換コラム築造用掘削ロッドの掘削ヘッドは、円錐ヘッド２２に水硬性固化材液の流路に通じる水硬性固化材液の吐出口２４と、前記掘削ロッド２１の正転時に掘削土砂を上方に押し上げるスパイラル翼２５とを周面に設け、スパイラル翼２５には所定間隔をおいて複数個の切削爪２８を突設したことで、硬質地盤や軟岩地盤でも、切削爪２８はこれらの地盤を強制的に掘削し、円錐ヘッド２２を高能力かつ速やかに地盤中に掘進させることが可能になる。また、このスパイラル翼２５の外周頂面に肉盛り部２９を設けたことで、スパイラル翼２５自体に掘削中の土砂が大きな摩擦抵抗をもって直接接触するのを回避でき、そのスパイラル翼２５外周頂面の早期摩耗を回避でき、結果として円錐ヘッド２２全体の長寿命化を図ることができる。
【産業上の利用可能性】
【００５２】
本発明の水硬性固化材液置換コラム築造用掘削ロッドの掘削ヘッド（円錐ヘッド）は、硬質地盤であっても、複数の切削爪はこれらの硬質地盤を強制的に切削し、円錐ヘッドを高能力かつ速やかに地盤中に掘進させることができるとともに、スパイラル翼外周頂面の摩耗を抑制ないし軽減でき、円錐ヘッドの長寿命化を図ることができるという効果を有し、水硬性固化材液置換による小径の杭状補強材の築造に使用する水硬性固化材液置換コラム築造用掘削ロッドの掘削ヘッド（円錐ヘッド）等に有用である。
【符号の説明】
【００５３】
２１  掘削ロッド
２２  円錐ヘッド
２３  流路
２４  吐出口
２５  スパイラル翼
２６  逆止弁
２７  切除部
２８  切削爪
２９  肉盛り部
３０  切除部通路
３１  超硬チップ
【図１】
2017133270.tif 000003
【図２】
2017133270.tif 000004
【図３】
2017133270.tif 000005
【図４】
2017133270.tif 000006
【図５】
2017133270.tif 000007
【図６】
2017133270.tif 000008
【図７】
2017133270.tif 000009
【図８】
2017133270.tif 000010
【図９】
2017133270.tif 000011
【図１０】
2017133270.tif 000012
【図１１】
2017133270.tif 000013
【図１２】
2017133270.tif 000014
【図１３】
2017133270.tif 000015
【図１４】
2017133270.tif 000016
【図１５】
2017133270.tif 000017